(57)【特許請求の範囲】
【請求項１】
計量値を表示する表示器を備えた台ばかりにおいて、前記表示器は、表示機器を収容する本体ケースとケース内を開閉するカバーとからなり、このカバーの一端は本体ケースに係合され、他端にはその幅のほぼ中央にカバー端面に対し直角方向に形成した切欠きを有するとともに、この切欠きを案内として滑動可能に挿着した固定つまみと、この固定つまみを本体ケースに当接して本体ケース方向にスライドさせたとき本体ケースに設けた凸部に跨乗して本体ケースにカバーを固定する爪部を設け、前記固定つまみを本体ケースと逆方向にスライドさせたときケース本体に設けた凸部から固定つまみの爪部が脱着して固定を解除するようにしたことを特徴とする台ばかり。
【発明の詳細な説明】
【０００１】
【発明の属する技術分野】
本発明は、測定物の重量を測定する電子台ばかりに関わり、特にその構成要素の一つである表示器の構造に関する。
【０００２】
【従来の技術】
測定物の重量を測定する電子台ばかりは、通常図５に示すように測定物を載荷する計量部５１とロードセル等を収納するベース５２と測定値を表示したりプリントアウトする表示器５３及び表示器５３を支持するポール５４より構成されている。この表示器５３は一般に測定物を載荷する計量部５１から離れてポール５４に載設されているので、電池やプリンタ用紙の交換などのためカバーを開閉する際、ワンタッチ操作が可能な構造が求められる。
【０００３】
表示器５３の本体ケースは内部に液晶表示板、プリントボード、コネクタ、ケーブル、プリンタ、電池などの多くの表示器機を収容すると共に、ポール５４に載設するため大きな内容積が必要であり、且つ保守作業の際に開閉が必要となるカバーは、一般に図４に示すようにその断面は概ねＬ字型の構造となる。従来は、表示器５３の本体ケース１にカバー２を支持軸３によって係合された断面が概ねＬ字型のカバー２の固定方法には、カバー２の端面からほぼ直角に山形の突起を形成した爪部６ａを突設し、これと咬合するための凹部９ａを本体ケース１に設けてカバー２を固定している。
【０００４】
【発明が解決しようとする課題】
図４において、カバー２を開閉する際は咬合状態を解除すべくＹ方向にカバーを指で押圧し、カバーを僅かに変形させながらＸ方向にスライドさせるように操作する。一方、カバー２は支持軸３を中心に回動するので山形の爪部６ａの先端は本体ケース１に対し斜め上に変位することになり、カバー２を自在に開閉するためには端面に形成する爪部６ａの長さには自ずと限界がある。したがってカバー２をしっかり固定するために必要な弾性効果が得られ難くなり、さらに咬合部分の凹凸も浅くならざるを得ないので、十分な固定効果が得られないという問題がある。また、爪部６ａが破断した際にはカバー２全体の交換を必要とする不便さがある。したがって台ばかりの操作性が悪い。
【０００５】
本発明は、上述した従来の技術における問題点に鑑みなされたものであり、表示器のカバーを本体ケースにワンタッチ操作で、かつ確実に固定することができるようにした台ばかりを提供することを目的とするものである。
【０００６】
【課題を解決するための手段】
本発明は、上記課題を解決するために、本体ケースと、カバーより構成された表示器において、カバーの一端は本体ケースに係合され、他端にはその幅のほぼ中央にカバー端面に対し直角方向に形成した切欠きに滑動可能に固定つまみを装着する。この固定つまみを本体ケースに当接して本体ケース方向にスライドさせたとき本体ケースに設けた凸部に固定つまみの爪部が跨乗して本体ケースにカバーを固定し、この固定つまみを本体ケースと逆方向にスライドさせたとき本体ケースに設けた凸部から固定つまみの爪部が脱着して固定を解除する。突起をもった爪部は長さを長くすることにより固定に十分な弾性力をもたせた。また、固定つまみはカバーに形成した切欠きに滑動可能に挿着し、カバーからの着脱が自在にできるように構成している。したがって本体ケースに対するカバーの開閉においては爪部が弾力的にたわみ、係着を容易にする。
【０００７】
【発明の実施の形態】
以下、本発明の一実施例について、図１〜図３を用いて説明する。図１は表示器における本体ケース、カバー及び固定つまみの関係を示す図で、（Ａ）はその正面図、（Ｂ）は側面断面図を示す。図１のカバー２は支持軸３において本体ケース１と開閉可能に係着され、カバー２に挿着された固定つまみ４をＸ方向にスライドすることにより本体ケース１にロックまたはロック解除する。
【０００８】
図２は図１のＡ部を拡大して示す図で、（Ａ）が縦断面図、（Ｂ）は本体ケース１の内方から見た図である。これらの図においてカバー２の端面に対し直角方向にほぼ平行に欠成した２箇所の溝部１１に沿って、固定つまみ４がそのかぎ部７の間隔を狭めながら２本のブリッジ８を載嵌し、かぎ部７がカバー２に突起した２箇所の突起部１０に係止するするまで挿入されるよう構成されている。これにより固定つまみ４はブリッジ８が溝部１１の底部に当接する位置からかぎ部７が突起部１０に当接するまでの間でスライド可能となる。取手５をＸＲ方向に十分にスライドさせると爪部６はカバー２の端面より僅かに内側に位置し、ＸＬ方向にスライドさせるとカバー２の端面より突出するように構成されている。十分突出すると爪部６は表示器５３の本体ケース１に突設した凸部９を跨乗して本体ケース１とカバー２がロックされるようになっている。
【０００９】
図３は固定つまみ４の形状を詳細に示したもので、（Ａ）は縦断面図、（Ｂ）は底面図を示す。すなわち、爪部６とかぎ部７を装設する基台と取手５の中間は平行した２本のブリッジ８が橋架され、ブリッジ８の高さはカバー２の厚みにより定まり、幅と奥行きはカバー２に欠成した２箇所の溝部１１の寸法に関連して定まる寸法をとる。爪部６の寸法は、本体ケース１に設けられた凸部９を跨乗しカバー２を本体ケース１に安定してロックするに必要な強度と弾性を示すように定められる。また、爪部６を装設する基台からの爪部６までの長さは十分に長くできるので、無理なく強度と弾性を確保することが可能である。かぎ部７の寸法は、固定つまみ４をカバー２にほぼ平行して欠成した２箇所の溝部１１に沿って載嵌する際、かぎ部７がカバー２に突起した２箇所の突起部１０の間を変形して通過後復元し、かつ取手５をスライドさせカバー２を本体ケース１にロックした後、突起部１０に当接して破壊しない程度の強度に定める。
【００１０】
固定つまみ４のカバー２への載嵌は、カバー２の端面に対し直角方向にほぼ平行に欠成した２箇所の溝部１１に沿って、固定つまみ４のかぎ部７を指で押圧してその幅を狭めながら、かぎ部７がカバー２に突起した２箇所の突起部１０に係止するまで２本のブリッジ８を挿入し、カバー２に載嵌する。かぎ部７が突起部１０に係止したとき指の力を抜くと、かぎ部７は元の形状に復元し突起部１０に係止したままとなるので、以後カバー２から脱落することはない。
【００１１】
以上のような構成において、表示器５３の開閉作動を説明する。図１に示すように、通常カバー２は固定つまみ４により本体ケース１にロックされている。固定つまみ４を指でＸＲ方向にスライドすると爪部６もＸＲ方向に移動してロックが解除されるので、支持軸３で回動させて図１（Ｂ）の点線で示したようにカバー２を開くことができる。
【００１２】
ブリッジ８は溝部１１に沿ってその底部までＸ方向にスライド可能で、溝部１１のカバー２の端面から底部までの寸法は、ブリッジ８をＸＲ方向にスライドさせたとき爪部６がカバー２の端面より突出しない程度に定める。また、カバー２に設けた突起部１０とカバー端面からの寸法は、ブリッジ８をＸＬ方向にスライドさせたときかぎ部７が突起部１０に当接し、かつ爪部６が本体ケース１に設けた凸部９を跨乗するように定める。
【００１３】
かくして、固定つまみ４をＸＲ方向にスライドすることによりカバー２を固定するロックを解除し、カバー２を表示器５３の本体ケース１に当接した後固定つまみ４をＸＬ方向にスライドすることにより、カバー２を本体ケース１に固定することが可能となる。そしてそのような表示器５３を有する操作性のすぐれた台ばかりを提供できる。
なお固定つまみ４は、何らかの原因で爪部６やかぎ部７が破損した場合、容易にカバー２から抜脱することが可能であり、容易に良品の固定つまみと交換することが可能である。
【００１４】
本発明が提供する台ばかり、特にその表示器の構成は以上説明したとおりであるが、上記ならびに図示例に限定されない。特に固定つまみの形状について図示例ではブリッジ８と溝部１１をそれぞれ２本で構成したが、それぞれを１本で構成しても良いし、３本以上で構成しても同様な機能を発揮できる。
また、カバー２に対し複数の固定つまみ４を設けても、同様な機能を発揮する。
さらに固定つまみ４は一体成形する必然性はなく、取手５とブリッジ８等とを複数の部品で構成して、接着やネジ止め等で組み立ててもよい。
【００１５】
また、固定つまみ４を本体ケース１に載嵌し、カバー２に凸部９を形成しても同様な機能を持つことは自明である。
上記実施例では、カバー２は本体ケース１に支持軸３において回動可能に係着したが、固定つまみ４はこの点に限定されず、例えばカバー２と本体ケース１は完全に分離する構造であってもよい。
また、本発明の台ばかりの形状については、図５に限定されず、表示器を有する種々の台ばかり、すなわち電子台ばかり以外の台ばかりに適用できる。
【００１６】
【発明の効果】
カバーに対しスライド可能に固定つまみを載嵌することにより、固定つまみをスライドしてロック用の爪部を引下げた際にロックを解除し、カバー端面がケースに当接した後ロック用の爪部を押出した際にカバーをロックできるようにしたので、爪部の機械的な強度と弾性を確保することが可能となって確実に固定でき、且つほぼワンタッチに近い動作でカバーの開閉が可能となり、台ばかりの操作性が向上する。さらに、固定つまみの構成部品が破損した際、固定つまみを良品と容易に交換できるメリットをも有する。
【図面の簡単な説明】
【図１】表示器における本体ケース、カバー及び固定つまみの関係を示す図で、（Ａ）はその正面図、（Ｂ）は側面断面図を示す。
【図２】図１におけるＡ部拡大図で、（Ａ）は縦断面図、（Ｂ）は底面図を示す。
【図３】固定つまみを表したもので、（Ａ）は縦断面図、（Ｂ）は底面図を示す。
【図４】従来技術によるカバー固定方法を示す。
【図５】電子台ばかりの概観を示す図である。
【符号の説明】
１…本体ケース
２…カバー
３…支持軸
４…固定つまみ
５…取手
６…爪部
６ａ…爪部
７…かぎ部
８…ブリッジ
９…凸部
９ａ…凹部
１０…突起部
５１…計量部
５２…ベース
５３…表示器
５４…ポール
【図１】
0003589163.tif 000002
【図２】
0003589163.tif 000003
【図３】
0003589163.tif 000004
【図４】
0003589163.tif 000005
【図５】
0003589163.tif 000006